(57)【要約】【課題】分岐線の引き出し長さに係る寸法精度を高めることが可能なワイヤハーネスとプロテクタとの分岐処理構造を提供する。【解決手段】ワイヤハーネス１を収納するプロテクタ２に開口部７を形成し、この開口部７からワイヤハーネス１の分岐線６を引き出す際に寸法基準点形成手段を用いる。このような分岐処理構造において、寸法基準点形成手段を、結束バンド１０と、ワイヤハーネス１と共に結束バンド１０により固定されるプロテクタ２のバンド固定部９と、を含んで構成する。開口部７には補強リブ８を形成する。寸法基準点Ｋをバンド固定部９の位置に合わせて設定する。【選択図】図１
2007288853.tif 000002
【特許請求の範囲】
【請求項１】
ワイヤハーネスを収納するプロテクタに開口部を形成し、該開口部から前記ワイヤハーネスの分岐線を引き出す際に寸法基準点形成手段を用いる、ワイヤハーネスとプロテクタとの分岐処理構造において、
前記寸法基準点形成手段を、結束バンドと、前記ワイヤハーネスと共に前記結束バンドにより固定される前記プロテクタのバンド固定部と、を含んで構成する
ことを特徴とするワイヤハーネスとプロテクタとの分岐処理構造。
【請求項２】
請求項１に記載のワイヤハーネスとプロテクタとの分岐処理構造において、
前記開口部に補強リブを形成する
ことを特徴とするワイヤハーネスとプロテクタとの分岐処理構造。
【請求項３】
請求項１又は請求項２に記載のワイヤハーネスとプロテクタとの分岐処理構造において、
寸法基準点を前記バンド固定部の位置に合わせて設定する、又は寸法基準点を二つの前記バンド固定部の中間位置に設定する
ことを特徴とするワイヤハーネスとプロテクタとの分岐処理構造。
【発明の詳細な説明】
【技術分野】
【０００１】
本発明は、ワイヤハーネスとプロテクタとの分岐処理構造に関し、詳しくは、プロテクタの開口部からワイヤハーネスの分岐線を引き出す際に寸法基準点形成手段を用いる、ワイヤハーネスとプロテクタとの分岐処理構造に関する。
【背景技術】
【０００２】
下記特許文献１に開示されている幾つかの技術について説明する。図５において、引用符号１０１はワイヤハーネスを示している。また、引用符号１０３はワイヤハーネス１０１を収納するためのプロテクタを示している。プロテクタ１０３の一方の側壁１０５には、開口部１０７が形成されている。この開口部１０７からは、ワイヤハーネス１０１から分岐された分岐線１０９が引き出されている。分岐線１０９の端末には、図示しない端子が接続されている。この図示しない端子は、コネクタハウジングの端子収容室に収容されている。分岐線１０９の端末には、コネクタ１１１が設けられている。
【０００３】
ところで、図５の技術にあっては、開口部１０７からコネクタ１１１までの分岐線１０９の長さＬ１がばらついてしまうという問題点を有している。すなわち、図６に示すように、ワイヤハーネス１０１を治具板上で配索する作業を行うと、ワイヤハーネス１０１から分岐させる分岐線１０９にあっては、電線のばらけが生じてしまうという問題点を有している。このため、プロテクタ１０３の開口部１０７から分岐線１０９が所定長さ以上に引き出されてしまい、コネクタ１１１までの長さＬ１にバラツキが生じてしまうという問題点を有している（長い場合は分岐線１０９が弛んで干渉が生じ、短い場合にはコネクタ接続ができなくなる）。
【０００４】
そこで、図７に示すように、プロテクタ１０３に固定部１１３を設け、この固定部１１３に分岐線１０９をテープ巻き１１５により固定することによって、開口部１０７からコネクタ１１１までの長さを所定の長さに維持するようなことがなされている。
【０００５】
また、図８に示すように、ワイヤハーネス１０１から分岐線１０９が分岐する分岐部１１９にテープ巻き１１７を施し、これによって分岐線１０９がばらけて分岐部１１９がずれてしまうのを防止するようなこともなされている。分岐部１１９は、テープ巻き１１７で固定されると、分岐線１０９の長さが所定の長さになるようになっている。
【０００６】
ここまでの説明に関し、従来の技術では次のような問題点も更に有している。すなわち、プロテクタ１０３の取り付け周辺に他の機器が密集するような配設関係の場合には、図７の固定部１１３を設けるだけのスペースがないという問題点を更に有している。また、図８の場合や治具板上での作業の場合には、テープ巻き１１７の作業が非常に面倒で手間も掛かってしまうという問題点を更に有している。
【０００７】
そこで、図９に示すように、ヒンジを介して回動板１２３を外側から内側へ倒し、この回動板１２３に形成した開閉自在な固定部１２１に分岐線１０９を固定するような構造のプロテクタ１２５を採用し、このプロテクタ１２５において外側に突出する部分をなくすようなことも試みられている。尚、このプロテクタ１２５に関しては、構造が複雑であるため成形金型構造も複雑になってしまい、結果、コストアップにつながってしまうという問題点を有している。
【０００８】
以上のような問題点を解消するために、図１０及び図１１に示すようなプロテクタ１２７が採用されている。このプロテクタ１２７においては、プロテクタ本体１２９の底壁１３５に、この底壁１３５から上方へ向けて突出するピン状の引掛け部材１３７が設けられている。複数の電線１４９から構成されるワイヤハーネス１４１の分岐線１４３は、引掛け部材１３７に引っ掛けられたり巻き付けられたりした後に、側壁１３１に形成された開口部１３３から所定方向へ引き出されるようになっている。すなわち、分岐線１４３は、引掛け部材１３７の存在によって所定の長さ（Ｌ２：引掛け部材１３７からコネクタ１４５のハウジング端面１４５ａまでの長さ）で引き出されるようになっている。
【０００９】
引掛け部材１３７は、分岐線１４３の長さを所定の長さにするために設けられている。言い換えれば、引掛け部材１３７は、寸法基準点を形成するための手段として設けられている。尚、ワイヤハーネス１４１はテープ巻き固定用の固定部１４７に固定されることから、幹線の側から基本的には引掛け部材１３７に大きな力が作用しないようになっている（幹線が固定部１４７に固定されて動かないため）。
【特許文献１】特開平９−２８０１４号公報
【発明の開示】
【発明が解決しようとする課題】
【００１０】
プロテクタ１２７は合成樹脂製のものであり、このプロテクタ１２７の引掛け部材１３７はピン状の形状に形成されていることから、分岐線１４３の引き出しの際の引っ掛けや巻き付けにより、引掛け部材１３７には分岐線１４３の側からそれなりの大きさの力が加わってしまうことになる。
【００１１】
引掛け部材１３７が作業中において仮に大きく撓んだり破損したりしてしまうと、引掛け部材１３７は寸法基準点としての機能を十分に果たすことができなくなってしまうという問題点を有している。
【００１２】
本発明は、上述した事情に鑑みてなされたもので、分岐線の引き出し長さに係る寸法精度を高めることが可能なワイヤハーネスとプロテクタとの分岐処理構造を提供することを課題とする。
【課題を解決するための手段】
【００１３】
上記課題を解決するためになされた請求項１記載の本発明のワイヤハーネスとプロテクタとの分岐処理構造は、ワイヤハーネスを収納するプロテクタに開口部を形成し、該開口部から前記ワイヤハーネスの分岐線を引き出す際に寸法基準点形成手段を用いる、ワイヤハーネスとプロテクタとの分岐処理構造において、前記寸法基準点形成手段を、結束バンドと、前記ワイヤハーネスと共に前記結束バンドにより固定される前記プロテクタのバンド固定部と、を含んで構成することを特徴としている。
【００１４】
このような特徴を有する本発明によれば、分岐線に係る寸法基準点となる位置、又はこの近傍においてワイヤハーネスがプロテクタに固定される。ワイヤハーネスがプロテクタに固定されることにより、開口部を介して引き出される分岐線の引き出し長さが安定する。また、結束バンドとバンド固定部とを含む構成により、寸法基準点形成手段として必要な強度も十分に確保される。
【００１５】
請求項２記載の本発明のワイヤハーネスとプロテクタとの分岐処理構造は、請求項１に記載のワイヤハーネスとプロテクタとの分岐処理構造において、前記開口部に補強リブを形成することを特徴としている。
【００１６】
このような特徴を有する本発明によれば、開口部やこの開口部を有する壁の強度が向上する。開口部の補強リブは、例えば分岐線の引き出し方向を変更するような場合、損傷対策等に有用になる。
【００１７】
請求項３記載の本発明のワイヤハーネスとプロテクタとの分岐処理構造は、請求項１又は請求項２に記載のワイヤハーネスとプロテクタとの分岐処理構造において、寸法基準点を前記バンド固定部の位置に合わせて設定する、又は寸法基準点を二つの前記バンド固定部の中間位置に設定することを特徴としている。
【００１８】
このような特徴を有する本発明によれば、寸法基準点を決めてこの位置に固定することにより、寸法精度が一層向上する。
【発明の効果】
【００１９】
請求項１に記載された本発明によれば、分岐線の引き出し長さに係る寸法精度を従来よりも高めることができるという効果を奏する。請求項２に記載された本発明によれば、プロテクタ側の強度向上を図ることができるという効果を奏する。請求項３に記載された本発明によれば、寸法精度の向上に寄与することができるという効果を奏する。
【発明を実施するための最良の形態】
【００２０】
以下、図面を参照しながら説明する。図１は本発明のワイヤハーネスとプロテクタとの分岐処理構造の一実施の形態を示す図であり、（ａ）は分岐処理構造の平面図、（ｂ）はプロテクタの平面図、（ｃ）は結束バンドの平面図である。また、図２は図１のプロテクタの斜視図、図３は図１の結束バンドに係る使用説明図である。
【００２１】
図１において、引用符号１はワイヤハーネスを示している。また、引用符号２はワイヤハーネス１を収納して例えば自動車等の移動体の車体に固定されるプロテクタを示している。ワイヤハーネス１は、複数の電線３を束ねてなるものであって、所定の経路で幹線４が配索されている。本形態において、幹線４の一部は、プロテクタ２に収納されて外部から保護されるような格好になっている。
【００２２】
幹線４の所定位置からは、端末にコネクタ５を設けた分岐線６が分岐されている。分岐線６は、プロテクタ２の一側壁に形成された開口部７を介して引き出されている。開口部７には、補強リブ８が設けられて、この補強リブ８によって強度アップが図られている。
【００２３】
分岐線６に関しては、本発明の分岐処理構造によって引き出し長さに係る寸法精度が高められている。すなわち、分岐線６の長さが所定の長さ（後述するＬ３）になるように構造及び構成上の工夫がなされている。本発明の分岐処理構造では、分岐線６の長さが所定の長さになるようにするために、寸法基準点Ｋを形成するための寸法基準点形成手段が用いられている。以下、寸法基準点形成手段について説明する。説明は図１ないし図３のいずれかを参照するものとする。
【００２４】
寸法基準点形成手段は、プロテクタ２に形成されるバンド固定部９と、このバンド固定部９に取り付く結束バンド１０とを備えて構成されている。寸法基準点形成手段は、結束バンド１０によりワイヤハーネス１をプロテクタ２に固定し、この固定によってワイヤハーネス１の位置を安定させ、結果、分岐線６の引き出し長さを所定の長さにすることをねらっているものである。
【００２５】
結束バンド１０は、先端にロック部１１を形成した枝部１２と、先端にリング部１３を形成した枝部１４と、枝部１２、１４の各基端が連続する帯状のバンド主部１５とを有しており、Ｔ字状の分岐部分１６に巻き付くような図示の形状に形成されている。結束バンド１０は、柔軟性を有している。
【００２６】
ロック部１１は、バンド主部１５の挿通が可能な貫通孔部１７と、この貫通孔部１７に突出してバンド主部１５の複数の係合歯１８に係合する係合爪１９とを有している。リング部１３は、環状に形成されている。また、リング部１３は、バンド主部１５の挿通が可能な大きさに形成されている。バンド主部１５は、前記係合歯１８の他に、この係合歯１８の反対の面で先端側に形成される滑り止め部２０を有している。
【００２７】
バンド固定部９は、プロテクタ２の底壁に形成される二つの貫通孔であって、バンド主部１５の挿通が可能な大きさに形成されている。バンド固定部９は、寸法基準点Ｋ（便宜上、図中の点を寸法基準点Ｋとしており、実際には見えるものではない）の位置に合わせて形成されている。バンド固定部９は、開口部７から臨む位置に形成されている。
【００２８】
尚、寸法基準点Ｋの位置が確定できれば、バンド固定部９の配置は前記底壁以外の配置であってもよいものとする（例えば開口部７を有する前記一側壁の反対側の側壁など）。また、バンド固定部９の形状は、結束バンド１０によりワイヤハーネス１とプロテクタ２とが結束されて一体化するようになれば特に図示の形状に限定されないものとする。その他、プロテクタ２に関し引用符号２１は、このプロテクタ２の長手方向に延在するテープ巻き部を示している。
【００２９】
上記構成において、先ず、結束バンド１０の枝部１２、１４の間に分岐線６の基端部分を入れて挟み込むとともに、結束バンド１０のロック部１１とリング部１３とを重ね合わせる。次に、結束バンド１０のバンド主部１５をプロテクタ２のバンド固定部９に挿通しつつワイヤハーネス１の分岐部分１６に巻き付け、最後にバンド主部１５をロック部１１に係合させワイヤハーネス１とプロテクタ２とを結束して固定すると、寸法基準点Ｋからコネクタ５のハウジング端面２２までの長さＬ３が寸法精度よくでるような分岐線６の引き出しが実現される。
【００３０】
従って、以上の説明の分岐処理構によれば、分岐線６の引き出し長さに係る寸法精度を従来よりも高めることができるという効果を奏する。
【００３１】
分岐部分１６は、結束バンド１０の形状及び固定状態により、電線３のばらけが生じないような状態になっている。
【００３２】
その他、本形態において、開口部７は補強リブ８の分だけ若干外側に突出する形状になるものの、図示しない周辺機器との干渉対策には十分に配慮がなされている。また、外側に突出する部分（従来例の固定部１１３参照）がないことから金型加工費や材料費を低減することができるという配慮がなされている。さらに、分岐線６の引き出し方向の変更を容易にすることができるという配慮がなされている。
【００３３】
続いて、図４を参照しながら本発明のワイヤハーネスとプロテクタとの分岐処理構造の他の一実施の形態を説明する。図４（ａ）は分岐処理構造の平面図、（ｂ）はプロテクタの平面図、（ｃ）は結束バンドの平面図である。尚、上述の形態と基本的に同じ部分には同一の符号を付して説明を省略する。
【００３４】
図４において、寸法基準点形成手段は、プロテクタ２に形成される一対のバンド固定部９、９と、この一対のバンド固定部９、９にそれぞれ取り付く結束バンド２３、２３とを備えて構成されている。寸法基準点形成手段は、結束バンド２３、２３によりワイヤハーネス１をプロテクタ２に固定し、この固定によってワイヤハーネス１の位置を安定させ、結果、分岐線６の引き出し長さを所定の長さにすることをねらっているものである。
【００３５】
結束バンド２３、２３は、柔軟性を有するものであって、ロック部１１とバンド主部１５とを有している。結束バンド２３、２３は、本形態において市販品を使用している（一例であるものとする）。結束バンド２３、２３は、Ｔ字状の分岐部分１６において分岐線６の両側に、具体的には幹線４にそれぞれ巻き付くようになっている。
【００３６】
一対のバンド固定部９、９は、プロテクタ２の底壁に形成される二つの貫通孔の対であって、それぞれバンド主部１５の挿通が可能な大きさに形成されている。一対のバンド固定部９、９は、寸法基準点Ｋの位置の両側に等ピッチでそれぞれ配置形成されている。一対のバンド固定部９、９は、開口部７から臨む位置で分岐線６の幅に合わせて配置形成されている。
【００３７】
上記構成において、結束バンド２３、２３の各バンド主部１５をプロテクタ２のバンド固定部９、９にそれぞれ挿通しつつワイヤハーネス１に巻き付け、次に、各バンド主部１５を各ロック部１１に係合させると、ワイヤハーネス１とプロテクタ２とが結束・固定される。従って、この形態の場合であっても、分岐線６の精度のよい引き出しが実現される。
【００３８】
その他、本発明は本発明の主旨を変えない範囲で種々変更実施可能なことは勿論である。
【図面の簡単な説明】
【００３９】
【図１】本発明のワイヤハーネスとプロテクタとの分岐処理構造の一実施の形態を示す図であり、（ａ）は分岐処理構造の平面図、（ｂ）はプロテクタの平面図、（ｃ）は結束バンドの平面図である。
【図２】図１のプロテクタの斜視図である。
【図３】図１の結束バンドに係る使用説明図である。
【図４】本発明のワイヤハーネスとプロテクタとの分岐処理構造の他の一実施の形態を示す図であり、（ａ）は分岐処理構造の平面図、（ｂ）はプロテクタの平面図、（ｃ）は結束バンドの平面図である。
【図５】従来例のプロテクタにおいて分岐線を引き出した状態を示す斜視図である。
【図６】治具板上で配索する作業を行う状態を示す斜視図である。
【図７】プロテクタ本体から引き出した分岐線をテープ巻きにより固定した状態を示す斜視図である。
【図８】分岐部分をテープ巻きした状態を示すワイヤハーネスの斜視図である。
【図９】ヒンジ構造を用いたプロテクタによる分岐処理構造を示す平面図である。
【図１０】寸法基準点形成手段としての引掛け部材を有するプロテクタによる分岐処理構造を示す斜視図である。
【図１１】図１０の平面図である。
【符号の説明】
【００４０】
１  ワイヤハーネス
２  プロテクタ
３  電線
４  幹線
５  コネクタ
６  分岐線
７  開口部
８  補強リブ
９  バンド固定部（寸法基準点形成手段）
１０  結束バンド（寸法基準点形成手段）
１１  ロック部
１２、１４  枝部
１３  リング部
１５  バンド主部
１６  分岐部分
１７  貫通孔部
１８  係合歯
１９  係合爪
２０  滑り止め部
２１  テープ巻き部
２２  ハウジング端面
２３  結束バンド（寸法基準点形成手段）
Ｋ  寸法基準点
【図１】
2007288853.tif 000003
【図２】
2007288853.tif 000004
【図３】
2007288853.tif 000005
【図４】
2007288853.tif 000006
【図５】
2007288853.tif 000007
【図６】
2007288853.tif 000008
【図７】
2007288853.tif 000009
【図８】
2007288853.tif 000010
【図９】
2007288853.tif 000011
【図１０】
2007288853.tif 000012
【図１１】
2007288853.tif 000013